(57)【要約】【課題】コンテンツに係る処理を実行する場合に継続的な情報を用いることにより、携帯電子機器の利便性を高める。【解決手段】記憶されているコンテンツに係る処理を実行する場合に、該コンテンツの継続的な情報を取得すると共に専用記憶部に記憶して保持する。そして、予定のコンテンツの処理を実行する際には、専用記憶部に保持されている継続情報を用いてコンテンツ処理を行なう。【選択図】図１
2011171969.tif 000002
【特許請求の範囲】
【請求項１】
コンテンツを記憶する記憶部と、
前記記憶部に記憶されているコンテンツに係る処理を実行するコンテンツ実行部と、
前記コンテンツ実行部にて処理実行される所定のコンテンツに係る継続的な情報を取得する継続情報取得部と、
前記継続情報取得部にて取得された継続情報を保持する継続情報保持部と、を備え、
前記コンテンツ実行部は、前記所定のコンテンツを処理実行する場合に、前記継続情報保持部にて保持されている前記所定のコンテンツに係る継続情報を用いた継続処理を実行する
ことを特徴とする携帯電子機器。
【請求項２】
前記コンテンツ実行部にて前記所定のコンテンツの処理が実行される場合に、前記継続情報を報知する報知部を有する
ことを特徴とする請求項１に記載の携帯電子機器。
【請求項３】
前記継続情報保持部は、不揮発性メモリによって構成される
ことを特徴とする請求項１又は２に記載の携帯電子機器。
【請求項４】
前記継続情報保持部は、前記コンテンツ実行部が前記記憶部に記憶されている複数のコンテンツを個別に処理実行する場合、前記複数のコンテンツに係る各継続情報を個別に保持する
ことを特徴とする請求項１乃至３のいずれか１項に記載の携帯電子機器。
【請求項５】
前記継続情報は、前記コンテンツに係る処理実行に応じて変動する情報である
ことを特徴とする請求項１乃至４のいずれか１項に記載の携帯電子機器。
【請求項６】
記憶部に記憶されているコンテンツに係る処理を実行するステップと、
処理が実行される所定のコンテンツに係る継続的な情報を取得するステップと、
取得された継続情報を保持するステップと、
前記所定のコンテンツを処理実行する場合に、保持されている前記所定のコンテンツに係る前記継続情報を用いた継続処理を実行するステップと、
を有する
ことを特徴とする携帯電子機器における制御方法。
【発明の詳細な説明】
【技術分野】
【０００１】
本発明は、実行されるコンテンツに係る情報を継続的に使用可能な携帯電子機器および同機器における制御方法に関する。
【背景技術】
【０００２】
携帯電話の普及とともに携帯電話の高機能化が進み、最近では、Ｗｅｂ（Ｗｏｒｌｄ  Ｗｉｄｅ  Ｗｅｂ）を介してダウンロード取得した任意の画像を、待受け画面に設定することができるようになった。また、携帯電話で取り扱える画像形式が増え、最近ではアニメーションやフラッシュコンテンツを壁紙として登録可能な携帯電話が存在する。（例えば、特許文献１参照）
【先行技術文献】
【特許文献】
【０００３】
【特許文献１】特開２００９−２９０５９０号公報
【発明の概要】
【発明が解決しようとする課題】
【０００４】
ところで、上記した画像（例えば、フラッシュコンテンツ）の中には、待受け画面に設定（表示）されることを想定して、携帯電話機の内部情報（例えば、時刻情報や電池残量情報や電波強度情報など）を取得して、この内部情報を表示するものがある。しかし、内部情報はＣＰＵなどのデータ処理部にて検出や計時などにより取得された数値であって、待受け画像の表示を制御するプログラム（例えば、フラッシュコンテンツの場合には、フラッシュエンジン）は、データ処理部からデータを取得して、取得した情報のみを待受け画面に表示することしか出来ず、利便性を向上させることが出来なかった。
【０００５】
本発明は、実行されるコンテンツに係る情報を継続的に使用可能な携帯電子機器および同機器における制御方法を提供することを目的とする。
【課題を解決するための手段】
【０００６】
上記した課題を解決するために本発明の携帯電子機器は、コンテンツを記憶する記憶部と、前記記憶部に記憶されているコンテンツに係る処理を実行するコンテンツ実行部と、前記コンテンツ実行部にて処理実行される所定のコンテンツに係る継続的な情報を取得する継続情報取得部と、前記継続情報取得部にて取得された継続情報を保持する継続情報保持部と、を備え、前記コンテンツ実行部は、前記所定のコンテンツを処理実行する場合に、前記継続情報保持部にて保持されている前記所定のコンテンツに係る継続情報を用いた継続処理を実行することを特徴とする。
【０００７】
また、本発明の携帯電子機器において、前記コンテンツ実行部にて前記所定のコンテンツの処理が実行される場合に、前記継続情報を報知する報知部を有してもよい。
【０００８】
また、本発明の携帯電子機器において、前記継続情報保持部は、不揮発性メモリによって構成されてもよい。
【０００９】
また、本発明の携帯電子機器において、前記継続情報保持部は、前記コンテンツ実行部が前記記憶部に記憶されている複数のコンテンツを個別に処理実行する場合、前記複数のコンテンツに係る各継続情報を個別に保持してもよい。
【００１０】
また、本発明の携帯電子機器において、前記継続情報は、前記コンテンツに係る処理実行に応じて変動する情報であってもよい。
【００１１】
上記した課題を解決するために本発明の携帯電子機器における制御方法は、記憶部に記憶されているコンテンツに係る処理を実行するステップと、処理が実行される所定のコンテンツに係る継続的な情報を取得するステップと、取得された継続情報を保持するステップと、前記所定のコンテンツを処理実行する場合に、保持されている前記所定のコンテンツに係る前記継続情報を用いた継続処理を実行するステップとを有することを特徴とする。
【発明の効果】
【００１２】
本発明によれば、実行されるコンテンツに係る情報を継続的に使用させることで、利便性の向上が図られた携帯電子機器および同機器における制御方法を提供することができる。
【図面の簡単な説明】
【００１３】
【図１】本発明の実施の形態に係る携帯電子機器の内部構成を示すブロック図である。
【図２】本発明の実施の形態に係る携帯電子機器の動作を示すフローチャートである。
【図３】本発明の実施の形態に係る携帯電子機器における表示画面の構成を示した図である。
【図４】本発明の実施の形態に係る携帯電子機器の一部の機能構成を示すブロック図である。
【発明を実施するための形態】
【００１４】
図１は本発明の実施の形態に係る携帯電子機器の内部構成を示すブロック図である。ここでは、携帯電子機器として開閉可能な折畳式携帯電話１が例示されている。
【００１５】
図１に示されるように、携帯電話１は、通信部１１と、操作部１２と、音声処理部１３と、スピーカ（ＳＰ）１４と、マイクロフォン（ＭＩＣ）１５と、表示部１６と、記憶部１７と、制御部１８と、電池１９と、により構成される。
【００１６】
通信部１１は、複数の通信システムを捕捉し、例えば、ＣＤＭＡ２０００  １ｘ（以下、単に１ｘという）やＥＶＤＯの通信プロトコルにしたがい、移動通信網２に接続される基地局を含む網側装置との間で無線通信を行う。
なお、ＥＶＤＯ通信は、１ｘ通信よりも高速であり、１ｘ通信は、ＥＶＤＯ通信と異なり、データ通信の他に音声通信もサポートするといった特徴を有している。
【００１７】
操作部１２は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１８に入力する。
【００１８】
音声処理部１３は、ＳＰ１４から出力される音声信号やＭＩＣ１５において入力される音声信号の処理を行う。
すなわち、音声処理部１３は、ＭＩＣ１５から入力される音声を増幅し、アナログ／デジタル変換を行い、更に符号化等の信号処理を施し、デジタルの音声データに変換して制御部１８に出力する。
【００１９】
また、音声処理部１３は、制御部１８から供給される音声データに復号化、デジタル／アナログ変換、増幅等の信号処理を施し、アナログの音声信号に変換してＳＰ１４に出力する。
【００２０】
表示部１６は、例えば、液晶表示パネルや有機ＥＬ（Ｅｌｅｃｔｒｏ−Ｌｕｍｉｎｅｓｃｅｎｃｅ）パネルなどの表示デバイスを用いて構成されており、制御部１８から供給される映像信号に応じた画像を表示する。
表示部１６は、例えば、通信部１１を介して取得したフラッシュコンテンツを含む画像やや待受け画像等の各種情報や画像を表示する。勿論、発信時における発信先の電話番号、着信時における着信相手の電話番号、受信メールや送信メールの他に、日付、時刻、電池残量といったピクト画像の表示も含まれる。
【００２１】
記憶部１７は、制御部１８において処理に利用される各種のデータを記憶する。例えば、制御部１８が実行するアプリケーションプログラム、通信相手の電話番号や電子メールアドレス等の個人情報を管理するアドレス帳、着信音やアラーム音を再生するための音声ファイル、待受け画面のフラッシュコンテンツを含む画像ファイル、各種の設定データ、プログラムの処理過程で利用される一時的なデータなどを保持する。
なお、上記した記憶部１７は、例えば、不揮発性の記憶デバイス（フラッシュメモリ）やランダムアクセス可能な記憶デバイス（ＳＲＡＭ、ＤＲＡＭ）等によって構成される。
【００２２】
制御部１８は、携帯電話の全体的な動作を統括的に制御する。すなわち、携帯電話の各種の処理（回線交換網を介して行われる音声通話、電子メールの作成と送受信、インターネットのＷｅｂ（Ｗｏｒｌｄ  Ｗｉｄｅ  Ｗｅｂ）サイトの閲覧などの制御）が操作部１２の操作に応じて適切な手順で実行されるように、上述した各ブロックの動作（通信部１１における信号の送受信、音声処理部１３における音声の入出力、表示部（報知部）１６における画像の表示など）を制御する。
【００２３】
制御部１８は、記憶部１７に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、記憶部１７に格納されるオペレーティングシステムやアプリケーションプログラム（ここでは、特に待受けアプリ）等のプログラムから命令コードを順次読み込んで処理を実行する。
【００２４】
制御部１８はまた、現在時刻、受信電界強度、電池残量等の携帯電話１の内部状態に関する内部情報（携帯電話１の内部に保持されている情報）を取得し、当該取得された情報を表示部１６に表示するとともに、待ち受け状態において表示部１６の主要表示領域に壁紙（待受け画像）としての画像を表示する。
このため、制御部１８は、その内部構成が図１に機能展開されて示されるように、主制御部（コンテンツ実行部）１８０と、情報取得部１８１と、情報表示部１８２と、フラッシュ機能部（継続情報取得部）１８３と、表示制御部１８４と、内部時計１８５と、電池残量検出部１８６と、受信強度判定部１８７とを有して構成される。なお、これらのブロックが持つ機能は、記憶部１７に記憶されるそれぞれのプログラムを制御部１８で実行することにより達成されるものであって、制御部１８内において実体的に他のブロックと区分され内蔵されるもののみを指すのではなく、あくまで説明の簡略化のために各処理部を分けて表現したものである。
【００２５】
主制御部１８０は、現在時刻を含む、受信電界強度、電池残量等、携帯電話１の内部状態に関する内部情報を情報取得部１８１にて取得させ、当該取得された情報を表示部１６に表示するとともに、表示部１６の主要表示領域（有効画面）に背景画像（待受け画像）を表示する。
【００２６】
情報取得部１８１は、内部時計１８５から現在時刻を取得し、電池残量検出部１８６から電池１９の残量を取得し、また、受信強度判定部１８７から受信電界強度に関する情報を定期的に取得し、携帯電話１の内部情報として主制御部１８０へ供給する。
なお、内部時計１８５は、携帯電話１に内蔵される従来周知のクロックであり、ユーザの入力値や基地局から送信される時刻情報に基づき時刻などカウントして時間情報を保持している。また、電池残量検出部１８６は、従来周知の方法により、例えば電池電圧などを検出して電池１９の残量を検知するものである。また、受信強度判定部１８７も、従来周知の方法により、基地局から送信される電波の受信感度を誤り率などから検知するものである。
【００２７】
情報表示部１８２は、情報取得部１８１で取得された内部情報を表示部１６に表示する機能を有し、フラッシュ機能部１８３は、表示部１６の主要表示領域（有効画面）に、例えば、通信部１１を介して外部のネットワークサーバ（不図示）から取得されて記憶部１７に保存されたフラッシュコンテンツ等の背景画像を表示する機能を有する。
【００２８】
ここで、フラッシュ機能部１８３は、表示部１６の主要表示領域（有効画面）に表示される待受け画像として、フラッシュ画像が設定されている場合には、待受けアプリの実行に伴い記憶部１７に記憶されているフラッシュコンテンツに応じたアニメーションなどの画像の表示を指示する。詳細には、主制御部１８０に設けられているフラッシュエンジン（図示省略）が、記憶部１７に記憶されているフラッシュアプリを読み出して実行することとで、記憶部１７に記憶されて設定（選択）されたフラッシュコンテンツデータをデコード処理し、このデコード処理により生成されたフラッシュ画像データをフラッシュ機能部１８３に出力する。
【００２９】
フラッシュ機能部１８３は、主制御部１８０のフラッシュエンジンから連続的に出力されたフラッシュ画像データを表示制御部１８４に対して表示指示する。
【００３０】
表示制御部１８４は、情報表示部１８２又はフラッシュ機能部１８３から出力されて表示指示された画像データを表示部１６に送出することで、表示部１６の主要表示領域（有効画面）に、待受け画像（背景画像）を表示させるとともに、情報取得部１８１にて取得された携帯電話機１の内部情報（時刻情報や電池残量情報や電波強度情報など）を表示させる。なお、表示制御部１８４は、フラッシュコンテンツに基づく待受け画像と内部情報とを同時に表示させる場合、内部情報の主要表示領域（有効画面）における表示位置を設定し、待受け画像に内部情報を重畳させて表示させる。
【００３１】
本実施形態では、フラッシュ機能部１８３は、フラッシュコンテンツ特有の固有情報を記憶して保持するフラッシュ専用記憶部（継続情報保持部）１７１との間で双方向のデータ伝送が可能に構成されている。そして、フラッシュ機能部１８３は、フラッシュコンテンツにおける固有情報をフラッシュ専用記憶部１７１に送出して該記憶部１７１に保存することできるとともに、この記憶部１７１に保存されているフラッシュコンテンツの固有情報を取得して、待受け画像として表示されるフラッシュコンテンツの画像データを加工する。なお、フラッシュ専用記憶部１７１は、不揮発性メモリによって構成されており、電源オフ状態となってもコンテンツの固有情報を記憶保持する。
【００３２】
なお、電池１９は、携帯電話を構成する各ブロックに電力を供給する駆動電源であり、ここでは、制御部１８にのみ電力を供給するものとして示しているが、実際には、通信部１１、操作部１２、音声処理部１３、ＳＰ１４、ＭＩＣ１５、表示部１６、記憶部１７、制御部１８のそれぞれに必要な電力を供給する。図２は、本発明の実施の形態に係る携帯電子機器の動作を示すフローチャートである。以下、図２に示すフローチャートを参照しながら図１に示す携帯電子機器の動作について詳細に説明する。
【００３３】
主制御部１８０は、電源投入後の初期処理が終了されたこと、又は全ての機能アプリが起動されていない状態となったことを検出すると、待受けアプリを起動させる。この待受けアプリの起動により、図２に示される、待受けフラッシュ表示処理が実行される。
【００３４】
この待受けフラッシュ表示処理では、ステップＳ１にて、待受け状態で表示部１６に表示される壁紙（背景画像）の設定を確認し、対象の壁紙を表示部１６に表示させる。具体的には、主制御部１８０が、記憶部１７に記憶されている壁紙設定テーブルに登録されている壁紙データ情報を読み取り、この情報に基づきデコード処理が行われた画像データを表示制御部１８４に伝送することで、設定されている画像が壁紙として表示部１６に表示される。
【００３５】
次のステップＳ２では、主制御部１８０は、この対象となる壁紙がフラッシュコンテンツであるか否かを判定する。これは、ステップＳ１にて確認した壁紙データ（壁紙設定テーブルに登録されている画像データの種別）に基づき判定される。ステップＳ２にて、壁紙がフラッシュコンテンツに設定されていると判定されると、ステップＳ３に進む。
【００３６】
ステップＳ３では、壁紙として設定されているフラッシュコンテンツが、カウンタ機能を備え、且つカウンタ機能が有効に設定されているか否かを判定する。このカウンタ機能は、待受け状態での壁紙（待受け画面）としてカウンタ機能を有するフラッシュコンテンツが設定されている場合に、フラッシュコンテンツの表示開始時にカウントアップする機能である。ステップＳ３にて、カウンタ機能が有効に設定されていると判定されると、ステップＳ４に進み、携帯電話機１の開閉状態が開状態から閉状態へ遷移した否かを判定する。この開閉検出は、折畳式携帯電話機１の表示部側筐体と操作部側筐体とが折り畳まれた閉状態であるのか、或いは互いに重なり合わない開状態であるのかを検出する開閉検出手段によって検出されるものであり、従来同様の開閉検出構成となっている。
【００３７】
フラッシュコンテンツは、待受け状態で表示部１６に表示されている場合に、携帯電話機１の開閉状態が開状態から閉状態へ遷移したことが検出されると、表示制御部１８４により表示部１６の表示（バックライトの点灯）が停止されることとなり、この表示停止に合わせて、フラッシュコンテンツの実行が中断される。この中断開始の起因となる携帯電話機１の開状態から閉状態への遷移が検出されると、ステップＳ５に進み、待受けでのフラッシュコンテンツの実行を中断する。
【００３８】
ステップＳ４にて開状態から閉状態への遷移が検出されない場合やステップＳ５でのフラッシュコンテンツの実行中断処理が行われた場合には、ステップＳ６に進み、携帯電話機１の開閉状態が閉状態から開状態へ遷移したことが検出されたか否かを判定する。携帯電話機１の開閉状態が閉状態から開状態へ遷移したことが検出されると、ステップＳ７へ進み、ステップＳ５にて中断されていたフラッシュコンテンツの実行再開処理が行われるとともに、カウントアップ処理が実行される。
【００３９】
このカウントアップ処理は、開状態の検出に伴い、主制御部１８０のフラッシュエンジン（フラッシュアプリ）により記憶部１７に記憶されて壁紙として設定されているフラッシュコンテンツの処理が実行されると、フラッシュ機能部１８３が、フラッシュ専用記憶部１７１に記憶されているカウンタ値を読み出し、この読み出したカウント値を１だけカウントアップするとともに、このカウントアップされたカウント値をフラッシュ専用記憶部１７１に送出する。フラッシュ専用記憶部１７１は、フラッシュ機能部１８３から送出されたカウント値をこれまでに記憶していたカウント値の更新データとして上書き保存して更新する。このように、フラッシュ専用記憶部１７１には、フラッシュコンテンツ処理の実行開始によって変動するカウント値を固有情報として記憶し保持する。そして、フラッシュ機能部１８３は、カウントアップしたカウント値をデコード処理されたフラッシュコンテンツの画像に重畳させた画像を生成し、表示制御部１８４に送出する。表示制御部１８４は、フラッシュ機能部１８３からのカウント値を含んだ表示画像を表示部に表示させる。
【００４０】
具体的には、図３（ａ）に示されるように、フラッシュコンテンツの待受け画像の中央枠内に、これまでのフラッシュコンテンツ処理の実行開始に伴いカウントされた数値が表示される。図３（ａ）に示される待受け画像では、これまでのフラッシュコンテンツ処理の実行回数が「１２７６８」回であることを示している。つまり、携帯電話機１の開閉回数が概ね１２７６８回であることを示している。なお、このカウント値は、フラッシュコンテンツ処理の実行開始に伴いカウントアップされる数値であるため、筐体の開閉回数だけでなく、省電力モードの解除に伴いフラッシュコンテンツ処理が実行開始される回数も合わせてカウントされている。
【００４１】
具体的には、フラッシュコンテンツが待受け画像として表示されているときに、操作部１２に対する無操作状態が所定時間継続して省電力モードに突入して、表示部１６の表示が一時停止される。この表示一時停止後にキー操作等がなされて省電力モードが解除されて待受け画像の表示が再開されると、待受け画像としてフラッシュコンテンツの画像の表示を再開すべく、フラッシュコンテンツ処理の実行が再開されるが、このフラッシュコンテンツ処理の実行再開によってもカウント値がカウントアップされる。
【００４２】
このように、携帯電話機１の筐体開状態の検出及び省電力モードの解除に伴いフラッシュコンテンツ処理の実行が開始される度にカウント値がカウントアップされることとなり、このカウント値がフラッシュコンテンツの待受け画像として表示される。このカウント値が開状態検出及び省電力モード解除に応じて継続的にカウントアップされることとなり、フラッシュコンテンツ処理の実行回数が「１２７７７」に達すると、図３（ｂ）に示されるように待受け画像が表示されることとなり、下３桁部分がぞろ目となったことにより、下３桁の表示部分が点滅表示などにより強調表示されることとなる。
【００４３】
なお、待受け画面の表示領域の左上端部と右上端部には、図３（ａ）及び図３（ｂ）に示されるように、情報取得部１８１にて取得されて情報表示部１８２で表示指示がなされた内部情報としての電波強度情報及び電池残量情報がフラッシュコンテンツの画像データに重畳されて表示されている。この内部情報の表示については、従来の表示構成と同等であるため、詳細説明を省略する。
【００４４】
ステップＳ７にて、カウントアップ処理が行われて、表示部１６のフラッシュコンテンツの待受け画像にカウント値が表示されると、ステップＳ８に進む。このステップＳ８では、電源オフ又は他の機能アプリが実行されたか否かを判定する。電源オフ又は他の機能アプリが実行されていないと判定すると、待受けアプリが継続して実施されて表示部１６に待受け画像が継続的に表示されることとなり、ステップＳ１に戻る。
【００４５】
また、ステップＳ２にて待受け画像としてフラッシュコンテンツが設定されていないと判定された場合、ステップＳ３にてカウンタ機能が有効設定されていない又は設定されたフラッシュコンテンツにカウンタ機能が備えられていないと判定された場合、及びステップＳ６にて閉状態から開状態への遷移が検出されない場合にも、ステップＳ８に進む。
【００４６】
ステップＳ８にて、電源オフ又は他の機能アプリが実行されたと判定されると、ステップＳ９に進み、電源オフ処理又は選択された他の機能アプリの実行処理が行われて、本フローの処理が終了する。
【００４７】
以上のように、本実施形態の携帯電話機１によれば、待受け状態での待受け画像表示処理において、カウンタ機能を備えたフラッシュコンテンツによる画像を待受け画像として表示することで、筐体の開状態への遷移又は省電力モードの解除に伴い実行開始されるフラッシュコンテンツ処理の実行開始に伴い継続的にカウントされるカウント値を継続情報として表示部１６に表示させることが可能となり、携帯電話機１のユーザに対する付加価値を与えることができ、携帯電話機１の商品性を高めることができる。
【００４８】
特に、フラッシュ専用記憶部１７１を設置して、フラッシュコンテンツ処理の実行に伴いフラッシュ機能部１８３にてフラッシュコンテンツに基づく画像を表示させる際に、フラッシュ専用記憶部１７１に記憶されている継続情報であるカウント値を用いて、継続的な情報が表示部１６に表示されることとなり、簡易な構成にて継続情報を表示させることができる。
【００４９】
また、カウント機能を備えたフラッシュコンテンツのカウント値をフラッシュ専用記憶部１７１に記憶させることにより、実行されるフラッシュコンテンツの特有情報をフラッシュコンテンツごとに独自に専用記憶部１７１に記憶させることが出来る。よって、図４に示されるように、携帯電話機１（端末１）に複数のフラッシュコンテンツが備えられている場合、それぞれのコンテンツに対応する独自の情報を専用データベースとしての専用記憶部１７１にコンテンツごとに個別に記憶させることができる。
【００５０】
具体的には、図４に示されるように、コンテンツ１に対する情報を専用ＤＢ（記憶部１７１）にレコード１として記憶させ、コンテンツ２に対する情報を専用ＤＢ（記憶部１７１）にレコード２として記憶させ、コンテンツ３に対する情報を専用ＤＢ（記憶部１７１）にレコード３として記憶させることができ、各コンテンツが実行される際には、専用ＤＢ（記憶部１７１）に個別に記憶されている情報を用いて、独自の情報報知（表示、音声出力など）を行うことができ、商品性を更に高めることができる。
【００５１】
更に、コンテンツごとに個別の情報を専用記憶部１７１に記憶させるため、この専用記憶部１７１に記憶されている個別の情報（レコード１〜３）を他の携帯電話機（端末２）に転用することができる。例えば、端末１に備えられているコンテンツ１〜３と同じコンテンツを備えた端末２が、端末１の専用ＤＢに格納されているコンテンツ毎の情報（レコード１〜３）を転送やコピーなどによって取得し、端末２の専用ＤＢに格納（記憶）すると、端末２においてコンテンツ１〜３に係る処理を実行する際には、取得した端末１からのコンテンツ情報（レコード１〜３）を用いることができる。
【００５２】
よって、端末２においても、端末１でのレコード１〜３に応じたコンテンツ実行処理を行なうことができる。例えば、機種変更などにより異なる端末間でコンテンツを継続的に実行させたい場合には、専用ＤＢに記憶されている情報（レコード１〜３）を転送することにより容易に行うことができる。
【００５３】
そして、コンテンツ情報をデータベースに格納できる仕組みを作ることで、継続的にコンテンツ固有情報を保持することができる仕組みを実現することができ、コンテンツ固有情報を継続的にＤＢ（専用記憶部１７１）内へ保持することが可能となる。更には、ＤＢに保持されている継続的な固有情報を用いて、継続したコンテンツ変化を実現して多彩な表現が可能となる。また、ＤＢに記憶される固有情報に対するレコード番号を統一化することによって、機種変更などにより異なる端末間でも継続したコンテンツ変化を実現することもできる。また、機種毎の下回りの変更（各アプリ機能部やフラッシュ機能部等のソフト変更）の必要が無いく汎用性が高い構成で実現可能である。
【００５４】
本発明における携帯電子機器は、上述した構成に限定されるものではなく、適宜変更可能である。例えば、コンテンツ固有の継続的な情報を利用する機能として、フラッシュコンテンツによる待受け画像表示機能について説明したが、待受け画像表示のフラッシュコンテンツ以外でのコンテンツ処理においても、同様にコンテンツ固有の情報を継続的に専用記憶部１７１に記憶させて、継続的に固有情報を使用する構成であればよい。また、コンテンツ固有情報としては、コンテンツの実行開始のカウント値に限定されるものではなく、コンテンツ実行において使用される継続的な情報であればよい。また、継続情報であるカウント値を表示部に表示させる構成としたが、この継続情報の報知方法は、表示部１６への表示だけでなく、スピーカ１４からの音声出力や報知ＬＥＤなどの点灯などによる報知であってもよい。
【００５５】
なお、本発明の実施形態に係る携帯電子機器として携帯電話１のみ例示したが、同様の構成を有する、例えば、ＰＤＡ（Ｐｅｒｓｏｎａｌ  Ｄｉｇｉｔａｌ  Ａｓｓｉｓｔａｎｔｓ）、や電子手帳、ゲーム機、あるいはノートＰＣ等に搭載される場合も同様に適用が可能である。
また、図１に示す制御部１８が有する機能は、全てをソフトウェアによって実現しても、あるいはその少なくとも一部をハードウェアで実現してもよい。例えば、主制御部１８０、フラッシュ機能部１８３におけるデータ処理は、１または複数のプログラムによりコンピュータ上で実現してもよく、また、その少なくとも一部をハードウェアで実現してもよい。
【符号の説明】
【００５６】
１  携帯電話、１１  通信部、１２  操作部、１３  音声処理部、１４  スピーカ（ＳＰ）、１５  マイク（ＭＩＣ）、１６  表示部、１７  記憶部、１７１  専用記憶部、１８  制御部、１９  電池、１８０  主制御部、１８１  情報取得部、１８２  情報表示部、１８３  フラッシュ機能部、１８４  表示制御部、１８５  内部時計、１８６  電池残量検出部、１８７  受信強度判定部
【図１】
2011171969.tif 000003
【図２】
2011171969.tif 000004
【図３】
2011171969.tif 000005
【図４】
2011171969.tif 000006